(57)【要約】【課題】大型の一体化パネルによる工法の利点を損なわずに、現場での微調整も可能になる壁パネル工法を提供する。【解決手段】本発明の壁パネル工法は、梁２や柱３を一体化した壁パネル１を工場製作する段階で、側部の柱３ａに対しては構造用面材８を固定せず、この壁パネル１を施工現場で建て込む際に、隣接する壁パネル１同士の柱３ａと梁２とを連結し、建ちや通りを微調整した後、側部の柱３ａに対して構造用面材８を釘打ち固定するものである。【選択図】図２
2005127045.tif 000002
【特許請求の範囲】
【請求項１】
木造家屋の壁パネルを工場で先組みする工程において、壁パネルの上部に梁を架け渡し、壁パネルの両側部には少なくとも左右いずれか一方に柱を設けて、当該側部の柱が上記梁に対して柱勝ちとなるように接合し、壁パネルの下部には下枠材を設けて、上記側部の柱及びそれ以外の柱が上記下枠材に対して柱勝ちとなるように下枠材と各柱とを接合し、上記梁、柱及び下枠材によって囲まれる構面に構造用面材を重合して、この構造用面材を上記側部の柱以外の柱、梁及び下枠材に対して釘打ち固定することにより壁パネルを形成し、
上記壁パネルを施工現場で建て込む工程において、隣接する壁パネルの側部の柱と梁とを連結し、各壁パネルの建ち通りを調整した後、各壁パネルの構造用面材を側部の柱に釘打ち固定することを特徴とする木造家屋の壁パネル工法。
【発明の詳細な説明】
【技術分野】
【０００１】
本発明は、木造家屋の壁部構造体を予め工場でパネル化した後、その壁パネルを現場にて建て込む壁パネル工法に関する。
【背景技術】
【０００２】
従来より、木造家屋の施工分野においては、在来の軸組工法やツーバイフォー工法が主流であったが、近年では、部材加工の合理化や現場施工の省力化を図るため、壁や床などの「面」を構成する構造体を予め工場でパネル化し、そのパネルを現場で組み立てる工法が主流になりつつある。例えば特許文献１には、家屋の壁や床、屋根を構成するパネル体を所定数のグループ毎に規格化するとともに、家屋を構成する空間の形状や大きさも所定数の空間ユニットに規格化し、各パネル体と空間ユニットの組み合わせパターンを予め複数設定して、パネル体の組み合わせからなる空間ユニットを複数組み合わせることにより家屋を形成する施工方法が記載されている。
【０００３】
上記文献では、外壁部分の構造材や軸部材と外壁材及び開口部を一体に取り付け、軸部材である柱に設けられた連結金具に係合する係合部を梁材の端面に設けた大型の壁パネルを構成し、この壁パネルを予め工場で組み立てた後、施工現場で各々連結して外壁部分を形成する施工方法が提案されている。
【特許文献１】特開２００２−２１１８１号公報
【発明の開示】
【発明が解決しようとする課題】
【０００４】
上記のような工法に用いられる大型の壁パネルは、柱及び梁までが一体に先組みされ、さらに片面または両面に構造用合板が貼設されることにより、高い剛性を備えたものとなる。さらに、それらが工場で加工されるので、各部の寸法精度も高く、パネル同士の連結部の整合性も良好になる。
【０００５】
しかしながら、その反面、施工現場において、例えば基礎部分に微小な寸法誤差が生じたりすると、壁パネル自体の剛性の高さが裏目に出て、壁パネル同士を連結した後に建ちや通りを微調整するのが困難になる場合もある。
【０００６】
そこで本発明は、大型の一体化パネルによる工法の利点を損なわずに、現場での微調整も可能になる壁パネル工法を提供することを解決課題とする。
【課題を解決するための手段】
【０００７】
上記した目的を達成するため、本発明の木造家屋の壁パネル工法は、木造家屋の壁パネルを工場で先組みする工程において、壁パネルの上部に梁を架け渡し、壁パネルの両側部には少なくとも左右いずれか一方に柱を設けて、当該側部の柱が上記梁に対して柱勝ちとなるように接合し、壁パネルの下部には下枠材を設けて、上記側部の柱及びそれ以外の柱が上記下枠材に対して柱勝ちとなるように下枠材と各柱とを接合し、上記梁、柱及び下枠材によって囲まれる構面に構造用面材を重合して、この構造用面材を上記側部の柱以外の柱、梁及び下枠材に対して釘打ち固定することにより壁パネルを形成し、上記壁パネルを施工現場で建て込む工程において、隣接する壁パネルの側部の柱と梁とを連結し、各壁パネルの建ち通りを調整した後、各壁パネルの構造用面材を側部の柱に釘打ち固定することを特徴とする。
【０００８】
すなわち、この発明は、工場で、柱や梁などの軸部材と構造用面材を一体的に先組みするに際し、構造用面材を側部の柱だけには釘打ちせず、壁パネルを現場で建て込んだ後、構造用面材を側部の柱に釘打ち固定するものである。これにより、現場での壁パネルの建て込みに際して微小なずれや狂いが出る場合でも、建ちや通りの微調整が可能になり、施工性が向上する。
【発明の効果】
【０００９】
本発明の壁パネル工法は、壁パネルを工場で先組みする段階で、側部の柱と構造用面材とを未固定状態で残しておき、現場で壁パネル同士を連結した後、側部の柱と構造用面材とを釘打ち固定するので、大型一体化パネルによる短時間施工の利点を確保しつつ、現場での微調整も可能になって、建て込み精度や施工性が向上する。
【発明を実施するための最良の形態】
【００１０】
以下、本発明の実施の形態について図を参照して説明する。
【００１１】
図１は、本発明の施工方法に使用される壁パネルの構成例を示す正面図、図２は上記壁パネルを建て込む状態を示す部分斜視図である。
【００１２】
例示の壁パネル１を構成する主な部材は、梁２、側部の柱３ａ、中間部の柱３ｂ、間柱４、下枠材５、開口部の横枠材６、開口部の補強フレーム７等の軸部材と、構造用面材８である。
【００１３】
梁２及び柱３（３ａ，３ｂ）は、壁の構造材であり、梁２に対して側部の柱３ａが勝つように接合されている。中間部の柱３ｂや間柱４に対しては梁２が勝っている。下枠材５は、各柱３間に接合され、間柱４や開口部の補強フレーム７に対しては下枠材５が勝っている。そして、これらの軸部材で構成された枠組みの片面または両面に、合板等からなる構造用面材８が貼設されている。構造用面材８は、側部の柱３ａ以外の軸部材に釘打ち固定されている。ここまでの組み立て及び接合は、壁パネル１の製作工場で行われる。
【００１４】
こうして先組みされた壁パネル１が施工現場に搬入された後、図２に示すようにして建て込まれる。各壁パネル１を適宜の順序で基礎９あるいは下層階の梁（図示せず）上に立設し、隣接する壁パネル１の側部の柱３ａと梁２とを接合する。この接合は、予め柱３や梁２の端部に取り付けた連結金物１０と、それに対応するスリット１１等を嵌め合わせ、連結ピンやボルトで固定することにより行われる。
【００１５】
本発明によれば、壁パネル１を各階毎に全て設置した後に、隣接する壁パネル１同士の連結箇所に微小な不整合が生じた場合でも、構造用面材８と側部の柱３ａとが未固定のため、各壁パネル１の建ちや通りを微調整することができる。そして、この微調整作業の後、構造用面材８を側部の柱３ａに釘打ち固定すれば、各壁パネル１の剛性も十分に確保される。
【００１６】
また、上記のように構成される壁パネル１は、柱３の下端面が、下枠材５を介在させずに直接基礎９上や下層階の梁上に固定されるので、柱３に加わる大きな垂直荷重を円滑に基礎９や梁に伝達させることができる。
【図面の簡単な説明】
【００１７】
【図１】本発明に使用される壁パネルの構成例を示す正面図である。
【図２】上記壁パネルの建て込み状態を示す部分斜視図である。
【符号の説明】
【００１８】
１    壁パネル
２    梁
３ａ  側部の柱
５    下枠材
３ｂ  中間部の柱
８    構造用面材
【図１】
2005127045.tif 000003
【図２】
2005127045.tif 000004